(57)【要約】【課題】フォルダに関する操作性を向上させること。【解決手段】１つの態様において、装置（例えば、スマートフォン）１は、フォルダを表示するタッチスクリーンディスプレイ２と、コントローラ１０とを備える。コントローラ１０は、タッチスクリーンディスプレイ２に対するジェスチャに応じてフォルダを拡大する。コントローラ１０は、拡大されたフォルダに対するジェスチャに応じて、フォルダに関する各種の制御を実行してもよい。【選択図】図５
2013131193.tif 000002
【特許請求の範囲】
【請求項１】
フォルダを表示するタッチスクリーンディスプレイと、
前記タッチスクリーンディスプレイに表示されたフォルダに対するジェスチャに応じて前記フォルダを拡大するコントローラと、
を備える装置。
【請求項２】
前記タッチスクリーンディスプレイは、前記フォルダ内にアイコンを表示し、
前記コントローラは、前記フォルダを拡大した場合に、当該フォルダ内に表示されているアイコンに対するジェスチャに応じて、当該アイコンに対応するアプリケーションを実行する請求項１に記載の装置。
【請求項３】
前記タッチスクリーンディスプレイは、前記フォルダの外にアイコンを表示し、
前記コントローラは、前記フォルダを拡大する前に前記フォルダの外に表示されていた全てのアイコンを、前記フォルダを拡大した後も前記タッチスクリーンディスプレイに表示させる請求項１または２に記載の装置。
【請求項４】
タッチスクリーンディスプレイを備える装置を制御する方法であって、
フォルダを前記タッチスクリーンディスプレイに表示するステップと、
前記タッチスクリーンディスプレイによって前記フォルダに対するジェスチャを検出するステップと、
前記ジェスチャに応じて前記フォルダを拡大するステップと、
を含む方法。
【請求項５】
タッチスクリーンディスプレイを備える装置に、
フォルダを前記タッチスクリーンディスプレイに表示するステップと、
前記タッチスクリーンディスプレイによって前記フォルダに対するジェスチャを検出するステップと、
前記ジェスチャに応じて前記フォルダを拡大するステップと、
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、ホーム画面と呼ばれる画面をディスプレイに表示する。ホーム画面には、アイコンと呼ばれるオブジェクトが配置される。タッチスクリーンデバイスは、アイコンに対するジェスチャを検出すると、ジェスチャが行われたアイコンに対応するアプリケーションを実行する。
【０００６】
タッチスクリーンデバイスにインストールされるアプリケーションの数が増えるほど、ホーム画面に配置されるアイコンの数が増える。アイコンを整理するため、ホーム画面にはアイコンを格納するフォルダが配置されることがある。フォルダは、利用者が多様なアプリケーションを利用しつつ、ホーム画面を使い易く整理するための重要な役割を持っている。このような理由により、フォルダに関する操作性を向上させることができる装置、方法、及びプログラムに対するニーズがある。
【課題を解決するための手段】
【０００７】
１つの態様に係る装置は、フォルダを表示するタッチスクリーンディスプレイと、前記タッチスクリーンディスプレイに表示されたフォルダに対するジェスチャに応じて前記フォルダを拡大するコントローラと、を備える。
【０００８】
１つの態様に係る方法は、タッチスクリーンディスプレイを備える装置を制御する方法であって、フォルダを前記タッチスクリーンディスプレイに表示するステップと、前記タッチスクリーンディスプレイによって前記フォルダに対するジェスチャを検出するステップと、前記ジェスチャに応じて前記フォルダを拡大するステップと、を含む。
【０００９】
１つの態様に係るプログラムは、タッチスクリーンディスプレイを備える装置に、フォルダを前記タッチスクリーンディスプレイに表示するステップと、前記タッチスクリーンディスプレイによって前記フォルダに対するジェスチャを検出するステップと、前記ジェスチャに応じて前記フォルダを拡大するステップと、を実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの構成を示すブロック図である。
【図６】図６は、フォルダの状態の変化の例を示す図である。
【図７】図７は、フォルダ上に配置されるアイコンに対応するアプリケーションを実行する例を示す図である。
【図８】図８は、縮小されたアイコンに対応するアプリケーションを実行する例を示す図である。
【図９】図９は、拡大されたフォルダへアイコンを格納する例を示す図である。
【図１０】図１０は、拡大されたフォルダからアイコンを取り出す例を示す図である。
【図１１】図１１は、フォルダのサイズを変更する例を示す図である。
【図１２】図１２は、フォルダに対する操作に関する制御の処理手順を示すフローチャートである。
【図１３】図１３は、フォルダの状態を変更する他の操作の例を示す図である。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、左から２番目のホーム画面が現在ディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３４】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３５】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３６】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３７】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３８】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、１つのセンサとして構成されていてもよい。
【００３９】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４０】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４１】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４２】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４３】
ストレージ９は、例えば、制御プログラム９Ａ、メールアプリケーション９Ｂ、ブラウザアプリケーション９Ｃ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。設定データ９Ｚは、スマートフォン１の動作に関する各種の設定に関する情報を含む。
【００４４】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されるジェスチャに応じて、ディスプレイ２Ａに表示されるフォルダに関する制御を変更する機能が含まれる。制御プログラム９Ａが提供する機能は、メールアプリケーション９Ｂ等の他のプログラムが提供する機能と組み合わせて利用されることがある。
【００４５】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４６】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４７】
コントローラ１０は、例えば、制御プログラム９Ａを実行することにより、タッチスクリーン２Ｂを介して検出されるジェスチャに応じて、ディスプレイ２Ａに表示されるフォルダに関する制御を変更する。
【００４８】
カメラ１２は、フロントフェイス１Ａに面している物体を撮影するインカメラである。カメラ１３は、バックフェイス１Ｂに面している物体を撮影するアウトカメラである。
【００４９】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５０】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５１】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５２】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５３】
図６から図１１を参照しながら、制御プログラム９Ａが提供する機能に基づくスマートフォン１の動作の例について説明する。図６は、フォルダの状態の変化の例を示す図である。図６に示すステップＳＡ１において、スマートフォン１は、アイコン５０に加えて、フォルダ６０をホーム画面４０上に配置している。フォルダ６０は、アイコン５０を格納するコンテナとして機能する。フォルダ６０上には、格納されているアイコン５０の画像を縮小したサムネイルが配置される。図６に示す例では、フォルダ６０は、矩形の形状を有しているが、フォルダ６０の形状はこれに限定されない。
【００５４】
フォルダ６０は、第１の状態及び第２の状態に切り替えられる。第１の状態において、フォルダ６０は、アイコン５０とほぼ同じサイズでホーム画面４０上に配置される。第１の状態におけるフォルダ６０に関してスマートフォン１が受け付ける操作は、例えば、アイコン５０をフォルダ６０に格納する操作、及びフォルダ６０の状態を第２の状態へ切り替える操作である。アイコン５０をフォルダ６０に格納する操作は、例えば、アイコン５０をフォルダ６０へドラッグする操作である。
【００５５】
第２の状態において、フォルダ６０は、アイコン５０よりも拡大してホーム画面４０上に配置される。スマートフォン１は、第２の状態にあるフォルダ６０に関して、フォルダ６０が第１の状態にあるときよりも多くの操作を受け付ける。第２の状態にあるフォルダ６０に関してスマートフォン１が受け付ける操作の例については後述する。
【００５６】
図６に示すステップＳＡ２では、利用者が指Ｆ１を使用してフォルダ６０に対するタップを行っている。スマートフォン１は、フォルダ６０に対するタップをタッチスクリーン２Ｂによって検出すると、フォルダ６０を第２の状態に切り替える。その結果、フォルダ６０は、ステップＳＡ３に示すように、ホーム画面４０上で拡大される。フォルダ６０は、第１の状態における形状をほぼ保ったままで拡大されている。「形状をほぼ保ったまま」とは、サイズをほぼ同じにした場合に、全体及び部分がほぼ一致することを意味する。
【００５７】
フォルダ６０の拡大に伴って、フォルダ６０に格納されているアイコン５０は、アイコン６１としてフォルダ６０内に表示される。アイコン６１は、アイコン５０の画像を含み、第１の状態にあるフォルダ６０上に配置されるサムネイルよりも大きく表示される。フォルダ６０に格納されているアイコン５０の画像がより大きく表示されることにより、利用者は、フォルダ６０にどのアイコン５０が格納されているかを容易に把握することが可能になる。アイコン６１は、アイコン５０に含まれる文字を含んでもよい。
【００５８】
さらに、フォルダ６０の拡大に伴って、スマートフォン１は、ホーム画面４０上に配置されるアイコン５０を縮小する。このようにアイコン５０を縮小することにより、拡大したフォルダ６０の下に隠れないようにアイコン５０を配置することが可能になる。このため、利用者は、フォルダ６０が拡大した後も、フォルダ６０が拡大する前と同様に、ホーム画面４０に配置されている全てのアイコン５０を見ることができる。
【００５９】
フォルダ６０を第２の状態に切り替えるとき、切り替え前のアイコン５０及びフォルダ６０の配置を利用者が把握できるように、縮小されたアイコン５０及び拡大されたフォルダ６０を配置することが好ましい。図６に示す例では、フォルダ６０を含む２行目よりも上の４個のアイコン５０と、２行目よりも下の６個のアイコン５０とは、切り替え前と同じ順序で配列されている。さらに、２行目において、フォルダ６０の左に１個のアイコン５０が配置され、フォルダ６０の右に２個のアイコン５０が配置されていることは、切り替え前後で変化していない。
【００６０】
フォルダ６０を第２の状態に切り替えた後のアイコン５０の表示の仕方は図６に示した例に限定されない。図６では、フォルダ６０を含む行以外の行に属するアイコン５０が縦につぶれたように表示されているが、アイコン５０は、縦横比を保ったままで縮小されてもよい。図６では、フォルダ６０と同じ行に属するアイコン５０が右又は左に９０度回転して表示されているが、アイコン５０は、回転せずに表示されてもよい。
【００６１】
第２の状態において、フォルダ６０上に配置されるアイコン６１は、アイコン５０と同様に機能する。すなわち、スマートフォン１は、第２の状態にあるフォルダ６０上に配置されたアイコン６１に対するタップをタッチスクリーン２Ｂによって検出すると、タップされたアイコン６１に対応するアプリケーションを実行する。アイコン６１に対応するアプリケーションとは、フォルダ６０に格納されているアイコン５０のうち、アイコン６１と同じ画像を含むアイコン５０に対応するアプリケーションである。
【００６２】
図７は、フォルダ６０上に配置されるアイコン６１に対応するアプリケーションを実行する例を示す図である。図７に示すステップＳＢ１では、図６に示したステップＳＡ３と同様に、フォルダ６０が第２の状態に切り替えられ、フォルダ６０上にアイコン６１が配置されている。ステップＳＢ２では、利用者が指Ｆ１を使用してアイコン６１ａに対するタップを行っている。アイコン６１ａは、メールアプリケーション９Ｂに対応する。そこで、ステップＳＢ３では、スマートフォン１は、メールアプリケーション９Ｂを実行し、メールアプリケーション９Ｂによって提供されるメール作成画面７０をディスプレイ２Ａに表示している。
【００６３】
このように、フォルダ６０を第２の状態に切り替えることにより、利用者は、フォルダ６０に格納されている任意のアイコン５０に対応するアプリケーションを実行することができる。
【００６４】
アイコン５０は、フォルダ６０の拡大に伴って縮小された後も、縮小される前と同様に機能する。図８は、縮小されたアイコン５０に対応するアプリケーションを実行する例を示す図である。
【００６５】
図８に示すステップＳＣ１では、図６に示したステップＳＡ３と同様に、フォルダ６０が第２の状態に切り替えられ、アイコン５０が縮小されている。ステップＳＣ２では、利用者が指Ｆ１を使用してアイコン５０ａ対するタップを行っている。アイコン５０ａは、ブラウザアプリケーション９Ｃに対応する。そこで、ステップＳＣ３では、スマートフォン１は、ブラウザアプリケーション９Ｃを実行し、既定のＷＥＢページ８０をディスプレイ２Ａに表示している。
【００６６】
このように、フォルダ６０が第２の状態に切り替えられた場合でも、利用者は、ホーム画面４０に配置されている任意のアイコン５０に対応するアプリケーションを実行することができる。さらに、既に説明したように、第２の状態に切り替えられたフォルダ６０が拡大されても、アイコン５０はフォルダ６０の下に隠れないように配置される。このため、利用者は、フォルダ６０の状態を第２の状態に切り替えた場合でも、フォルダ６０によってアイコン５０の選択を妨げられることがない。
【００６７】
フォルダ６０が第２の状態に切り替わっている場合、スマートフォン１は、フォルダ６０に対するアイコン５０の格納及び取り出しのための操作も受け付ける。図９は、拡大されたフォルダへアイコンを格納する例を示す図である。
【００６８】
図９に示すステップＳＤ１では、図６に示したステップＳＡ３と同様に、フォルダ６０が第２の状態に切り替えられている。ステップＳＤ２では、利用者が指Ｆ１を使用して、フォルダ６０の左に配置されているアイコン５０ｂをフォルダ６０内へドラッグしている。スマートフォン１は、アイコン５０ｂがフォルダ６０内へドラッグされたことをタッチスクリーン２Ｂによって検出すると、アイコン５０ｂをフォルダ６０に格納する。その結果、ステップＳＤ３に示すように、アイコン５０ｂは、ホーム画面４０から削除され、アイコン５０ｂと同様の外観を有するアイコン６１ｂがフォルダ６０上に配置される。
【００６９】
アイコン５０ｂの削除により、ホーム画面４０上のアイコン５０およびフォルダ６０は、アイコン５０ｂの位置を埋めるように配置が変更される。ステップＳＤ４では、フォルダ６０が、アイコン５０ｂが配置されていた位置まで左に移動し、フォルダ６０の下の行の先頭に配置されていたアイコン５０がフォルダ６０と同じ行へ移動している。このように、スマートフォン１は、フォルダ６０が第２の状態にあるときでもアイコン５０の移動に応じてアイコン５０およびフォルダ６０の配置を変更する。このため、利用者は、アイコン５０を移動させながら、フォルダ６０が第１の状態に切り替わったときの配置を容易に把握することができる。
【００７０】
その後、利用者が、フォルダ６０の状態を第１の状態に切り替える操作を行うと、ステップＳＤ４に示すように、フォルダ６０は元のサイズに縮小される。フォルダ６０の状態を第１の状態に切り替える操作は、例えば、ボタン３のいずれかを押下する操作、又はホーム画面４０上のアイコン５０およびフォルダ６０が配置されていない領域をタップする操作である。ステップＳＤ４では、ホーム画面４０上に配置されるアイコン５０の数が１つ減り、フォルダ６０上に配置されるサムネイルの数が１つ増えている。
【００７１】
スマートフォン１は、第１の状態にあるフォルダ６０にアイコン５０がドラッグされた場合にもアイコン５０をフォルダ６０に格納するが、この場合、アイコン５０に対応するサムネイル及びアイコン６１は、フォルダ６０内の予め決められた位置に配置される。一方、第２の状態にあるフォルダ６０にアイコン５０がドラッグされた場合、スマートフォン１は、アイコン５０に対応するサムネイル及びアイコン６１がフォルダ６０内で配置される位置を、ドラッグの終点（リリースが検出された位置）に応じて変更する。すなわち、利用者は、第２の状態にあるフォルダ６０にアイコン５０を格納する場合に、アイコン５０に対応するサムネイル及びアイコン６１が配置される位置を指定することができる。
【００７２】
さらに、既に説明したように、第２の状態に切り替えられたフォルダ６０が拡大されても、アイコン５０はフォルダ６０の下に隠れないように配置される。このため、利用者は、フォルダ６０の状態を第２の状態に切り替えた場合でも、ホーム画面４０上に配置されている任意のアイコン５０をフォルダ６０に格納することができる。
【００７３】
図１０は、拡大されたフォルダからアイコンを取り出す例を示す図である。図１０に示すステップＳＥ１では、図６に示したステップＳＡ３と同様に、フォルダ６０が第２の状態に切り替えられている。ステップＳＥ２では、利用者が指Ｆ１を使用して、フォルダ６０内に配置されているアイコン６１ｃをフォルダ６０外へドラッグしている。スマートフォン１は、アイコン６１ｃがフォルダ６０外へドラッグされたことをタッチスクリーン２Ｂによって検出すると、アイコン６１ｃをフォルダ６０から取り出す。その結果、ステップＳＥ３に示すように、アイコン６１ｃは、フォルダ６０から削除され、アイコン６１ｃと同様の外観を有するアイコン５０ｃがホーム画面４０上に追加される。
【００７４】
アイコン５０ｃの追加により、ホーム画面４０上のアイコン５０およびフォルダ６０の配置は変更される。これにより、利用者は、フォルダ６０が第１の状態に切り替わったときの配置を容易に把握することができる。
【００７５】
その後、利用者が、フォルダ６０の状態を第１の状態に切り替える操作を行うと、ステップＳＥ４に示すように、フォルダ６０は元のサイズに縮小される。ステップＳＥ４では、ホーム画面４０上に配置されるアイコン５０の数が１つ増え、フォルダ６０上に配置されるサムネイルの数が１つ減っている。
【００７６】
第２の状態にあるフォルダ６０の外へアイコン６１がドラッグされた場合、スマートフォン１は、アイコン６１に対応するアイコン５０がホーム画面４０上で配置される位置を、ドラッグの終点に応じて決定する。すなわち、利用者は、第２の状態にあるフォルダ６０からアイコン５０を取り出す場合に、アイコン５０が配置される位置を指定することができる。
【００７７】
さらに、既に説明したように、第２の状態に切り替えられたフォルダ６０が拡大されても、アイコン５０は、フォルダ６０が第１の状態にあるときの配置を把握できるように配置される。このため、利用者は、フォルダ６０から取り出したアイコン５０をホーム画面４０上の所望の位置に配置することができる。
【００７８】
スマートフォン１は、第２の状態に切り替わっているフォルダ６０のサイズを変更するための操作も受け付ける。図１１は、フォルダ６０のサイズを変更する例を示す図である。図１１に示すステップＳＦ１では、利用者が、第２の状態に切り替わったフォルダ６０に対して、利用者が指Ｆ１及び指Ｆ２を用いてピンチアウトを行っている。スマートフォン１は、第２の状態にあるフォルダ６０へのピンチアウトをタッチスクリーン２Ｂによって検出すると、ステップＳＦ２に示すように、ピンチアウトにおける指の距離の変化に応じてフォルダ６０を拡大する。このとき、スマートフォン１は、フォルダ６０上に配置されているアイコン６１も同様に拡大する。
【００７９】
スマートフォン１は、第２の状態にあるフォルダ６０へのピンチインをタッチスクリーン２Ｂによって検出すると、ピンチインにおける指の距離の変化に応じてフォルダ６０を縮小する。このとき、スマートフォン１は、フォルダ６０上に配置されているアイコン６１も同様に縮小する。このように、スマートフォン１は、利用者の操作に応じて、第２の状態にあるフォルダ６０の拡大率を変更する。
【００８０】
このように、利用者は、第２の状態にあるフォルダ６０、及びその上に配置されるアイコン６１を任意のサイズに変更することができる。その結果、ホーム画面４０に配置されるアイコン５０のサイズも変更される。このように各種のオブジェクトのサイズを調整可能にすることにより、オブジェクトの視認性及び操作性が改善される。フォルダ６０及びアイコン６１を拡大／縮小するための操作は、ピンチアウト／ピンチインに限定されず、各種のオブジェクトの拡大／縮小するために用いられる操作を採用してよい。
【００８１】
図１２を参照しながら、制御プログラム９Ａが提供する機能に基づく制御の処理手順の例について説明する。図１２は、フォルダ６０に対する操作に関する制御の処理手順を示している。図１２に示す処理手順は、コントローラ１０が、制御プログラム９Ａを実行することによって実現される。図１２に示す処理手順は、ホーム画面４０に配置されるフォルダ６０に対する操作が検出されるたびに実行される。コントローラ１０は、図１２に示す処理手順と並行して、ホーム画面４０に関する制御のための他の処理手順を実行することがある。
【００８２】
コントローラ１０は、ステップＳ１０１として、タッチスクリーン２Ｂの検出結果を取得する。そして、コントローラ１０は、ステップＳ１０２として、操作が行われたフォルダ６０が拡大しているか、すなわち、フォルダ６０が第２の状態にあるかを判定する。
【００８３】
フォルダ６０が拡大していない、すなわち、フォルダ６０が第１の状態にある場合（ステップＳ１０２，Ｎｏ）、コントローラ１０は、ステップＳ１０３として、フォルダ６０に対する操作がタップであったかを判定する。フォルダ６０に対する操作がタップであった場合（ステップＳ１０３，Ｙｅｓ）、コントローラ１０は、ステップＳ１０４として、フォルダ６０の状態を第２の状態へ切り替え、フォルダ６０を拡大させる。このとき、コントローラ１０は、ホーム画面４０に配置されているアイコン５０を縮小し、フォルダ６０の下に隠れないように配置する。そして、コントローラ１０は、処理手順を終了する。フォルダ６０に対する操作がタップでない場合（ステップＳ１０３，Ｎｏ）、コントローラ１０は、処理手順を終了する。
【００８４】
フォルダ６０が拡大している、すなわち、フォルダ６０が第２の状態にある場合（ステップＳ１０２，Ｙｅｓ）、コントローラ１０は、ステップＳ１０５として、フォルダ６０に対する操作がタップであったかを判定する。フォルダ６０に対する操作がタップであった場合（ステップＳ１０５，Ｙｅｓ）、コントローラ１０は、ステップＳ１０６として、タップされたアイコン６１に対応するアプリケーションを実行する。タップされた位置にアイコン６１が存在しない場合、コントローラ１０は、特に何も実行しなくてもよい。そして、コントローラ１０は、処理手順を終了する。
【００８５】
フォルダ６０に対する操作がタップでない場合（ステップＳ１０５，Ｎｏ）、コントローラ１０は、ステップＳ１０７として、フォルダ６０に対する操作がピンチアウト又はピンチインであったかを判定する。フォルダ６０に対する操作がピンチアウト又はピンチインであった場合（ステップＳ１０７，Ｙｅｓ）、コントローラ１０は、ステップＳ１０８として、ジェスチャに合わせてフォルダ６０のサイズを変更する。そして、コントローラ１０は、処理手順を終了する。
【００８６】
フォルダ６０に対する操作がピンチアウト又はピンチインでない場合（ステップＳ１０７，Ｎｏ）、コントローラ１０は、ステップＳ１０９として、フォルダ６０に対する操作がアイコンのドラッグであったかを判定する。フォルダ６０に対する操作がアイコンのドラッグでない場合（ステップＳ１０９，Ｎｏ）、コントローラ１０は、処理手順を終了する。
【００８７】
フォルダ６０に対する操作がアイコンのドラッグであった場合（ステップＳ１０９，Ｙｅｓ）、コントローラ１０は、ステップＳ１１０として、フォルダ６０の外から内へのドラッグであったかを判定する。フォルダ６０の外から内へのドラッグであった場合（ステップＳ１１０，Ｙｅｓ）、コントローラ１０は、ステップＳ１１１として、ドラッグされたアイコンをフォルダ６０内へ移動させる。そして、コントローラ１０は、処理手順を終了する。
【００８８】
フォルダ６０の内から外へのドラッグであった場合（ステップＳ１１０，Ｎｏ）、コントローラ１０は、ステップＳ１１２として、ドラッグされたアイコンをフォルダ６０外へ移動させる。そして、コントローラ１０は、処理手順を終了する。ステップＳ１１１及びステップＳ１１２において、コントローラ１０は、ホーム画面４０に配置されているアイコン５０のサイズ及び配置を必要に応じて変更する。
【００８９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００９０】
例えば、図５に示した各プログラムは、複数のモジュールに分割されていてもよい。あるいは、図５に示した各プログラムは、他のプログラムと結合されていてもよい。
【００９１】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【００９２】
上記の実施形態では、ホーム画面４０上にフォルダ６０が１つ配置される例について説明したが、スマートフォン１は、ホーム画面４０上に複数のフォルダ６０を配置できるように構成されてもよい。ホーム画面４０上に複数のフォルダ６０が配置されている場合、スマートフォン１は、同時に１つのフォルダ６０のみが第２の状態へ切り替わるように制御を行ってもよい。すなわち、スマートフォン１は、あるフォルダ６０の状態が第２の状態へ切り替わっているときに他のフォルダ６０の状態を第２の状態へ切り替える操作が検出された場合に、第２の状態にあるフォルダ６０を強制的に第１の状態へ戻してもよい。
【００９３】
上記の実施形態では、第２の状態にあるフォルダ６０に対してアイコン５０を格納する例を示したが、スマートフォン１は、第２の状態にあるフォルダ６０に対して他のフォルダ６０を格納できるように構成されてもよい。
【００９４】
上記の実施形態では、アイコン５０及びフォルダ６０がホーム画面に配置される例について説明したが、本発明が適用される画面は、これに限定されない。本発明は、アイコン及びフォルダが配置される各種の画面に適用することができる。例えば、本発明は、画像、動画等のデータに対応するアイコンとそれらを整理するためのフォルダとが配置される画面、ブックマークされたＷＥＢページのＵＲＬとそれらを整理するためのフォルダとが配置される画面、電話番号、メールアドレス等の個人情報とそれらを整理するためのフォルダとが配置される画面等に適用することができる。
【００９５】
上記の実施形態では、第２の状態にあるフォルダ６０に対して可能な操作として、格納されているアイコン５０に対応するアプリケーションの実行、アイコン５０の格納、アイコン５０の取り出し、フォルダ６０の拡大／縮小について説明した。しかしながら、第２の状態にあるフォルダ６０に対して可能な操作は、これらに限定されず、ホーム画面４０に配置されているアイコン５０に対して可能ないずれの操作も実行可能である。例えば、アイコンの名前の変更、アイコンの削除、アイコンに対応するアプリケーションのアンインストール等のための操作が、第２の状態にあるフォルダ６０に対して実行されてもよい。
【００９６】
上記の実施形態では、拡大されたフォルダ６０に対してアイコン５０を格納する例を示したが、スマートフォン１は、フォルダ６０に対して他のフォルダ６０を格納できるように構成されてもよい。フォルダ６０（親フォルダ）内に他のフォルダ６０（サブフォルダ）が格納されている場合、スマートフォン１は、親フォルダの拡大に伴って、サブフォルダを拡大し、サブフォルダ内に配置されているサムネイルをアイコン６１として機能させてもよい。スマートフォン１は、サブフォルダに対するジェスチャ（例えば、ピンチ、タップ等）に応じてサブフォルダを拡大または縮小してもよい。
【００９７】
上記の実施形態では、フォルダ６０の状態を第１の状態から第２の状態へ切り替えるための操作として、フォルダ６０へのタップを例示した。しかしながら、フォルダ６０の状態を第１の状態から第２の状態へ切り替えるための操作は、これに限定されない。例えば、図１３のステップＳＧ１及びステップＳＧ２に示すように、スマートフォン１は、フォルダ６０に対するピンチアウトが検出された場合に、フォルダ６０の状態を第１の状態から第２の状態へ切り替えてもよい。
【符号の説明】
【００９８】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１１    スピーカ
１２、１３  カメラ
１４    コネクタ
１５    加速度センサ 
１６    方位センサ
１７    ジャイロスコープ
２０    ハウジング
【図１】
2013131193.tif 000003
【図２】
2013131193.tif 000004
【図３】
2013131193.tif 000005
【図４】
2013131193.tif 000006
【図５】
2013131193.tif 000007
【図６】
2013131193.tif 000008
【図７】
2013131193.tif 000009
【図８】
2013131193.tif 000010
【図９】
2013131193.tif 000011
【図１０】
2013131193.tif 000012
【図１１】
2013131193.tif 000013
【図１２】
2013131193.tif 000014
【図１３】
2013131193.tif 000015